(57)【要約】【課題】  配管カバーを壁面に固定する必要がなく、スッキリとした状態で工数をかけずにカウンターに固定できる浴室カウンター構造を提供する。【解決手段】  内部に配管空間Ｓを有し、その配管空間Ｓに設けた配管９をカウンター５上方へ通す貫通孔６が形成されてなる浴室カウンター５において、このカウンター５の貫通孔６の周辺には、配管９を覆蓋する配管カバー１１を固定するための係止部７ａ，７ｂが設けられており、この係止部７ａ，７ｂに係合できる係合凹部１２，１２が配管カバー１１に設けられている。【選択図】        図１
2006051058.tif 000002
【特許請求の範囲】
【請求項１】
内部に配管空間を有し、その配管空間に設けた配管をカウンター上方へ通す貫通孔が形成されてなる浴室カウンターにおいて、該カウンターの前記貫通孔の周辺には、前記配管を覆蓋する配管カバーを固定するための係止部が設けられていることを特徴とする浴室カウンター構造。
【請求項２】
カウンターの上面に配管カバーを固定するための上係止部が形成され、カウンターの下面には洗面器台を固定するための下係止部が形成されてなり、カウンターを上下反転することにより、前記下係止部に配管カバーを、また前記上係止部に洗面器台を固定できるように上下対称形状に形成されていることを特徴とする浴室カウンター構造。
【発明の詳細な説明】
【技術分野】
【０００１】
本発明は、浴室の洗い場側壁面に沿って設置される浴室カウンターの構造に関するものである。
【背景技術】
【０００２】
従来、特許文献１に開示されているように、浴室の洗い場側壁面に沿ってカウンターが設けられ、また、水栓用の配管を覆蓋する配管カバーが、別途浴室の洗い場側壁面に固定されている。
【特許文献１】特開平１１−１９７０４４号公報
【発明の開示】
【発明が解決しようとする課題】
【０００３】
従来では、配管カバーは、カウンターとは別に壁面に固定されており、配管カバーを壁面に取り付けるための取付部材が必要で、配管カバーを壁面に取り付ける手間がかかっていた。また、カウンターとの位置決めがないため、配管カバーにズレとかガタが生じやすいと言う問題点があった。
【課題を解決するための手段】
【０００４】
本発明は上記従来の問題点に鑑み案出したものであって、配管カバーをスッキリとした状態で固定し位置決めすることのできる浴室カウンター構造を提供せんとするものであり、その請求項１は、内部に配管空間を有し、その配管空間に設けた配管をカウンター上方へ通す貫通孔が形成されてなる浴室カウンターにおいて、該カウンターの前記貫通孔の周辺には、前記配管を覆蓋する配管カバーを固定するための係止部が設けられていることである。
また、請求項２は、カウンターの上面に配管カバーを固定するための上係止部が形成され、カウンターの下面には洗面器台を固定するための下係止部が形成されてなり、カウンターを上下反転することにより、前記下係止部に配管カバーを、また前記上係止部に洗面器台を固定できるように上下対称形状に形成されていることである。
【発明の効果】
【０００５】
本発明は、カウンターの貫通孔の周辺に、配管カバーを固定するための係止部が設けられていることにより、配管カバーを取付部材等で壁面に取り付ける手間がかからず、カウンターの係止部に配管カバーを位置決めして良好に固定することができ、配管カバーを意匠的にスッキリとした状態で、工数を掛けずに良好にカウンターに一体化させることができるものとなる。
【０００６】
また、カウンターの上面に配管カバーを固定するための上係止部が形成され、カウンターの下面には洗面器台を固定するための下係止部が形成され、上下反転することにより下係止部に配管カバーを、また上係止部に洗面器台を固定できるように上下対称形状に形成されていることにより、カウンターを上下反転することにより、浴室内の洗い場の左右の壁面の何れ側にもカウンターを設置することができ、カウンターを壁面に固定すれば、後にこのカウンターに配管カバー及び洗面器台を固定して施工することができ、施工が容易なものとなる。
【実施例】
【０００７】
以下、本発明の実施例を図面に基づいて説明する。
図１〜図３は第１実施例を示すものであり、図１は、浴室の洗い場側の壁面に設置したカウンターと、このカウンターに固定する配管カバーと洗面器台の分解斜視図を示すものであり、図２は、カウンターに対し配管カバーを取り付ける際の平面分解構成図である。また図３は、カウンターに対し洗面器台を取り付ける分解側面構成図である。
【０００８】
図において、浴室１には、浴槽２から洗い場３側の壁面４に沿ってカウンター５が設けられている。このカウンター５は図３に示すように、上面片５ａの後端で垂直に立上片５ｂが立ち上げ形成されており、立上片５ｂの上端で後方側へ水平状に壁側上面片５ｃが形成されている。また、上面片５ａの前端には垂直に前面片５ｄが形成されており、前面片５ｄの下端から上面片５ａと平行状に下面片５ｅが形成されており、下面片５ｅの後端で垂下状に垂下片５ｆが形成されて、垂下片５ｆの下端には水平状に壁側下面片５ｇが壁側上面片５ｃと平行状に形成されている。
【０００９】
このカウンター５は、内部に配管空間Ｓを有し、その配管空間Ｓに設けた配管９をカウンター上方へ通すための貫通孔６が貫通状に形成されており、貫通孔６の左右側には、壁側上面片５ｃから立ち上げ状に左右一対の立上板部７ａ，７ａが立設されており、この各立上板部７ａ，７ａの前端には略円柱形状の係止突起７ｂ，７ｂが一体形成されている。
また、カウンター５の前面片５ｄには横長状の上係合溝８ａが形成されており、また、カウンター５の垂下片５ｆにも横長状の下係合溝８ｂが形成されている。
【００１０】
なお、浴室１の壁面４に沿って立ち上げ状に配管９が貫通孔６を通して立設されており、この配管９は固定バンド１０で壁面４に固定されている。
この配管９を覆蓋するための配管カバー１１は後方が開放された箱状に形成されており、配管９を覆蓋する前面覆蓋片１１ａの左右には右側面片１１ｂと左側面片１１ｃが形成されており、各側面片１１ｂ，１１ｃの内側には、前面覆蓋片１１ａから平行状に内側片１１ｄ，１１ｅが一体形成されており、右側面片１１ｂと内側片１１ｄ間で係合凹部１２が形成され、係合凹部１２の入口には、右側面片１１ｂ及び内側片１１ｄに対向状に突部１２ａ，１２ａが形成されている。同様に、右側面片１１ｃと内側片１１ｅ間にも、突部１２ａ，１２ａを備えた係合凹部１２が形成されている。
【００１１】
この左右の係合凹部１２，１２は、配管カバー１１の下部部位に一体形成されており、図２に示すように、カウンター５に設けられた左右の係止突起７ｂ，７ｂに対し配管カバー１１を前方側から押し付けてゆくと、係止突起７ｂ，７ｂが配管カバー１１の係合凹部１２，１２内にパチンと嵌め込まれることとなり、これにより配管カバー１１の下部がカウンター５の壁側上面片５ｃ上に固定状態となり、配管カバー１１とカウンター５が連続して、スッキリとした配管カバー１１の設置状態が得られるものとなる。
【００１２】
なお、配管カバー１１の上部は、前面覆蓋片１１ａの前面から水栓が締め付け固定されることにより、壁面４に固定されることとなる。
このように配管カバー１１は、係合凹部１２，１２とカウンター５側に設けられた係止突起７ｂ，７ｂの係合により固定されるため、従来のように配管カバー１１を取付部材で壁面４に取り付ける手間がかからず、カウンター５を壁面４に設置しておけば、このカウンター５に良好に位置決めして配管カバー１１を一体状に取り付け固定することができるものとなり、施工が容易なものとなる。
【００１３】
また、このカウンター５には、洗面器台１４を取り付けることができるものである。
即ち、洗面器台１４は、上面片１４ａの後端で垂下状に立上片１４ｂが形成され、立上片１４ｂから後方側に向かって下段上面片１４ｃが形成されており、下段上面片１４ｃの後端で垂下状に背面片１４ｄが形成され、背面片１４ｄから前方側へ向かって下面片１４ｅが形成され、下面片１４ｅの前端側から上面片１４ａの前端に向かって前面湾曲片１４ｆが形成されており、この洗面器台１４の立上片１４ｂ及び背面片１４ｄには、それぞれ後方側へ水平に突出して上突出板部１５ａ及び下突出板部１６ａが一体形成されており、上突出板部１５ａの後端には上係止突起１５ｂが一体化され、また、下突出板部１６ａの後端には下係止突起１６ｂが一体化されている。
【００１４】
この上係止突起１５ｂは、カウンター５の上係合溝８ａ内に前方側から差し込むことができ、また、下係止突起１６ｂは、カウンター５の下係合溝８ｂ内に前方側から差し込むことができるものである。
従って、カウンター５を設置しておけば、このカウンター５に対し洗面器台１４を前方側から押し込んで、上係止突起１５ｂを上係合溝８ａ内に、また下係止突起１６ｂを下係合溝８ｂ内に嵌合させて、ネジ等を使用することなく洗面器台１４を良好にカウンター５に取り付け固定することができるものである。
【００１５】
次に、図４の斜視図で示すものは配管カバーの変更例であり、配管カバー１１は、壁面４に予め設置される水栓本体１８を覆蓋できるような形状のもので、図４では、水栓本体１８を覆蓋し得る形状に形成された上部の水栓覆蓋部１１Ｂと、その下方に連続する配管９を覆蓋し得る配管覆蓋部１１Ａが一体状に形成されており、水栓覆蓋部１１Ｂには、水栓本体１８の前面に設けられている調整ハンドル１８ｂ，１８ｃを通すハンドル孔１１Ｃ，１１Ｃが形成されており、その中央部には、水栓本体１８の吐水管１８が接続される吐水口１１Ｄが形成されている。
なお、このような配管カバー１１においても、その下部の左右側に係合凹部１２，１２が形成されており、カウンター５側の係止突起７ｂ，７ｂに前面側から押し付けて係合状に固定できるものである。
【００１６】
なお、水栓本体１８内にはクランク部１８ａ，１８ａが設けられており、このクランク部１８ａ，１８ａが配管９，９に接続されるものであり、水栓本体１８にはネジ孔１９ａを備えたフランジ１９が側方に突出形成されており、ネジ孔１９ａにネジを入れて壁面４に予め水栓本体１８は固定されるものである。
この水栓本体１８が固定された後に、水栓本体１８の前面側から覆蓋状に配管カバー１１が取り付けられて、配管カバー１１の下部は係合凹部１２，１２を介しカウンター５側の係止突起７ｂ，７ｂに固定できるとともに、配管カバー１１に形成されている左右のネジ孔１１Ｅ，１１Ｅに前面側からネジを入れて、壁面４に配管カバー１１の上部を固定できるものである。
本例においても、カウンター５を設置した後に、カウンター５に対して配管カバー１１の下端を一体状に係合固定させることができ、配管カバー１１をスッキリとした状態で取り付け固定できるものである。
【００１７】
次に、図５〜図７に示すものは第２実施例であり、図５は、カウンターに対する配管カバーと洗面器台の取付状態を示す分解側面構成図である。また図６は、配管カバーと洗面器台の取付状態を示す分解平面概略構成図である。
本例におけるカウンター５は、上下対称形状に形成されており、上面片５ａと下面片５ｅが上下対称を成して前面片５ｄで連結されており、また、立上片５ｂと垂下片５ｆが上下対称に形成されており、また、壁側上面片５ｃと壁側下面片５ｇが上下対称に一体形成されている。
【００１８】
また、壁側上面片５ｃの貫通孔６の左右には、上方に立ち上げて上立上板部７ａと、その前端に上係止突起７ｂが形成されており、これと対称に壁側下面片５ｇから垂下状に垂下板部２１ａと、その前端に下係止突起２１ｂが形成されている。
このカウンター５は上下反転させることにより、図７に示すように、浴室１の壁面４側にも、或いは対面する壁面４Ａ側にも、現場に対応して設置することができるものである。
【００１９】
なお、配管カバー１１の下部の左右には、第１実施例と同様に、係合凹部１２，１２が形成されており、各係合凹部１２の入口には突部１２ａ，１２ａが設けられている。
また、洗面器台１４の背面片１４ｄの下部には、後方側へ突出して内側片１４ｉが形成されており、この内側片１４ｉと、左右の右側面片１４ｈと左側面片１４ｇとの間にそれぞれ係合凹部２３，２３が形成されており、各係合凹部２３の入口側には突起２３ａ，２３ａが対向状に突出形成されている。
即ち、突起２３ａ，２３ａは、右側面片１４ｈ及び内側片１４ｉから対向状に突出されており、また左側では、左側面片１４ｇと内側片１４ｉから対向状に突出形成されている。
【００２０】
また、本例の洗面器台１４は、前面湾曲部１４ｆの上部にネジ２２を前面側から通して、カウンター５の前面片５ｄにネジ２２をネジ込んで、洗面器台１４の上部をカウンター５に固定できるように構成されている。
図５の状態では、カウンター５に設けられた上係止突起７ｂ，７ｂに対し配管カバー１１を前面側から押し付けて、配管カバー１１の係合凹部１２，１２を係合させて、配管カバー１１を上係止突起７ｂ，７ｂに固定することができ、また、カウンター５の下係止突起２１ｂ，２１ｂに対しては、洗面器台１４の下部に設けられた係合凹部２３，２３を係合させて、下係止突起２１ｂ，２１ｂに洗面器台１４の下部を固定できるように構成されている。
【００２１】
カウンター５を上下反転させて対向壁面４Ａ側に設置する際には、カウンター５の下係止突起２１ｂが上方側に立設され、上係止突起７ｂは下方に垂下状となるため、下係止突起２１ｂに対し配管カバー１１を取り付け固定することができ、また、上係止突起７ｂに対し洗面器台１４の係合凹部２３を係合固定させることができるものとなり、Ｌ・Ｒで同じカウンター５を用いて、それぞれ配管カバー１１及び洗面器台１４を取り付け固定できるものであり、カウンターを壁面４または対向壁面４Ａの何れかに固定しておけば、その後に配管カバー１１及び洗面器台１４を取り付け固定できて、施工が極めて容易なものとなる。
【図面の簡単な説明】
【００２２】
【図１】第１実施例の分解斜視図である。
【図２】図１の配管カバーを取り付ける前の平面分解構成図である。
【図３】カウンターに対し洗面器台を取り付ける前の側面分解構成図である。
【図４】水栓本体を覆蓋できる形状の配管カバーの斜視構成図である。
【図５】第２実施例のカウンターに対し配管カバーと洗面器台を取り付ける前の分解側面構成図である。
【図６】図５の平面分解構成図である。
【図７】カウンターをＬ・Ｒ何れの壁面にも設置できる説明平面構成図である。
【符号の説明】
【００２３】
１  浴室
２  浴槽
３  洗い場
４  壁面
４Ａ  対向壁面
５  カウンター
５ａ  上面片
５ｂ  立上片
５ｃ  壁側上面片
５ｄ  前面片
５ｅ  下面片
５ｆ  垂下片
５ｇ  壁側下面片
６  貫通孔
７ａ  立上板部
７ｂ  係止突起（上係止突起）
８ａ  上係合溝
８ｂ  下係合溝
９  配管
１０  固定バンド
１１  配管カバー
１１ａ  前面覆蓋片
１１ｂ  右側面片
１１ｃ  左側面片
１１ｄ，１１ｅ  内側片
１１Ａ  配管覆蓋部
１１Ｂ  水栓覆蓋部
１１Ｃ  ハンドル孔
１１Ｄ  吐水口
１１Ｅ  ネジ孔
１２  係合凹部
１２ａ  突部
１４  洗面器台
１４ａ  上面片
１４ｂ  立上片
１４ｃ  下段上面片
１４ｄ  背面片
１４ｅ  下面片
１４ｆ  前面湾曲部
１４ｇ  左側面片
１４ｈ  右側面片
１４ｉ  内側片
１５ａ  上突出板部
１５ｂ  上係止突起
１６ａ  下突出板部
１６ｂ  下係止突起
１８  水栓本体
２３  係合凹部
２３ａ  突部
Ｓ  配管空間
【図１】
2006051058.tif 000003
【図２】
2006051058.tif 000004
【図３】
2006051058.tif 000005
【図４】
2006051058.tif 000006
【図５】
2006051058.tif 000007
【図６】
2006051058.tif 000008
【図７】
2006051058.tif 000009